(57)【要約】【課題】商品に対する消費者の信用度を増大させると共に、消費者が安心して商品を選択できるようにする。【解決手段】通販サイトに、販売商品であるデスクトップパソコン１の画像と共に、付属物４の画像を掲載する。また、デスクトップパソコン１の発送時に、デスクトップパソコン１と共に付属物４を提供する。【選択図】図２
2016031671.tif 000002
【特許請求の範囲】
【請求項１】
複数の部品や部材で構成され、若しくは、複数の機能を有して構成された工業製品本体と、
前記工業製品本体の一部の部品や部材と略同一の部品や部材であり、若しくは、前記工業製品本体の一部の部品や部材と略同一の部品や部材を用いて構成され、若しくは、前記工業製品本体の一部の機能と略同一の機能を発揮すべく構成され、かつ、前記工業製品本体と共に提供される付属物とを備える
工業製品。
【請求項２】
前記付属物が発揮する機能に関する情報であり、
または、
前記付属物が発揮する機能に関する情報に通信回線を介してアクセス可能な情報であり、
かつ、前記工業製品本体と共に提供される付属物機能情報を備える
請求項１に記載の工業製品。
【請求項３】
前記付属物が製造された時期に関する情報であり、
または、
前記付属物が製造された時期に関する情報に通信回線を介してアクセス可能な情報であり、
かつ、前記工業製品本体と共に提供される付属物製造時期情報を備える
請求項１に記載の工業製品。
【請求項４】
前記付属物を構成する前記工業製品本体の一部の部品や部材と略同一の部品や部材、若しくは、前記付属物が発揮する前記工業製品本体の一部の機能と略同一の機能を実現する構成の生産者に関する情報であり、
または、
前記付属物を構成する前記工業製品本体の一部の部品や部材と略同一の部品や部材、若しくは、前記付属物が発揮する前記工業製品本体の一部の機能と略同一の機能を実現する構成の生産者に関する情報に通信回線を介してアクセス可能な情報であり、
かつ、前記工業製品本体と共に提供される付属物生産者情報を備える
請求項１、請求項２または請求項３に記載の工業製品。
【請求項５】
複数の部品や部材で構成され、若しくは、複数の機能を有して構成された工業製品本体を、
前記工業製品本体の一部の部品や部材と略同一の部品や部材であり、若しくは、前記工業製品本体の一部の部品や部材と略同一の部品や部材を用いて構成され、若しくは、前記工業製品本体の一部の機能と略同一の機能を発揮すべく構成された付属物と共に提供する工程を備える
工業製品の提供方法。
【請求項６】
複数の部品や部材で構成され、若しくは、複数の機能を有して構成された工業製品本体を、
前記工業製品本体の一部の部品や部材と略同一の部品や部材であり、若しくは、前記工業製品本体の一部の部品や部材と略同一の部品や部材を用いて構成され、若しくは、前記工業製品本体の一部の機能と略同一の機能を発揮すべく構成された付属物を見せて提供する工程を備える
工業製品の提供方法。
【発明の詳細な説明】
【技術分野】
【０００１】
本発明は、工業製品及び工業製品の提供方法に関する。詳しくは、工業製品本体と共に付属物を提供等する工業製品及び工業製品の提供方法に係るものである。
【背景技術】
【０００２】
従来、食品を中心として商品の安全性が消費者に注目されており、消費者が商品を選択する際に、消費者は商品自体や商品の原料がどの様な物であるのかという点にまで関心を示す様になっている。
【０００３】
そのため、商品の提供者は、提供する商品や商品の原料の成分や産地、製造年月日等の情報を商品の包装に貼付したラベルに記載したり、ＩＣタグに記録したりして、商品を提供している。
【０００４】
しかし、単に情報を記載や記録したものを商品に添付して提供するだけでは、その情報の改竄や偽造等が容易であり、現に情報の改竄や偽造等が行われている事実もあり、消費者の信用度が低く、消費者が安心して商品を選択することが困難であった。
【０００５】
そこで、本発明の発明者は、単に情報を記載や記録したものを食品に添付するのではなく、食品の原料を粉末にした原料粉末見本を食品に添付して食品を提供する技術を提案することで、食品製品の見える化を実現している（特許文献１参照）。
【先行技術文献】
【特許文献】
【０００６】
【特許文献１】特開２００９−５６５６号公報
【発明の概要】
【発明が解決しようとする課題】
【０００７】
ところで、見える化が求められている商品は食品製品に限られておらず、工業製品においても求められている。
【０００８】
本発明は以上の点に鑑みて創案されたものであって、消費者が安心して商品を選択することが可能となる工業製品及び工業製品の提供方法を提供することを目的とするものである。
【課題を解決するための手段】
【０００９】
上記の目的を達成するために、本発明の工業製品では、複数の部品や部材で構成され、若しくは、複数の機能を有して構成された工業製品本体と、前記工業製品本体の一部の部品や部材と略同一の部品や部材であり、若しくは、前記工業製品本体の一部の部品や部材と略同一の部品や部材を用いて構成され、若しくは、前記工業製品本体の一部の機能と略同一の機能を発揮すべく構成され、かつ、前記工業製品本体と共に提供される付属物とを備える。
【００１０】
また、上記の目的を達成するために、本発明の工業製品の提供方法では、複数の部品や部材で構成され、若しくは、複数の機能を有して構成された工業製品本体を、前記工業製品本体の一部の部品や部材と略同一の部品や部材であり、若しくは、前記工業製品本体の一部の部品や部材と略同一の部品や部材を用いて構成され、若しくは、前記工業製品本体の一部の機能と略同一の機能を発揮すべく構成された付属物と共に提供する工程を備える。
【００１１】
更に、本発明の工業製品の提供方法では、複数の部品や部材で構成され、若しくは、複数の機能を有して構成された工業製品本体を、前記工業製品本体の一部の部品や部材と略同一の部品や部材であり、若しくは、前記工業製品本体の一部の部品や部材と略同一の部品や部材を用いて構成され、若しくは、前記工業製品本体の一部の機能と略同一の機能を発揮すべく構成された付属物を見せて提供する工程を備える。
【００１２】
ここで、工業製品本体の一部の部品や部材と略同一の部品や部材である付属物によって、工業製品本体の部品や部材の特徴を充分に把握することができる。
即ち、付属物である部品や部材は、工業製品本体の一部の部品や部材と略同一であり、換言すると、付属物である部品や部材は、工業製品本体の全部の部品や部材と略同一ではないために、付属物は工業製品本体よりも少ない部品や部材ということとなる。この様に、付属物が工業製品本体の一部であるが故に、付属物である部品や部材の特徴が、工業製品本体の部品や部材であるものの付属物ではない部品や部材の特徴に埋もれることが無く、付属物を構成する個々の部品や部材の特徴や、付属物を構成する部品や部材の集合体の特徴が把握し易いのである。
【００１３】
同様に、工業製品本体の一部の部品や部材と略同一の部品や部材を用いて構成された付属物によって、工業製品本体の部品や部材の特徴を充分に把握することができる。
即ち、付属物を構成する部品や部材は、工業製品本体の一部の部品や部材と略同一であり、換言すると、付属物を構成する部品や部材は、工業製品本体の全部の部品や部材と略同一ではないために、付属物は工業製品本体よりも少ない部品や部材で構成されていることとなる。この様に、付属物は工業製品本体よりも構成部品や構成部材が少ないが故に、付属物を構成する部品や部材の特徴が、工業製品本体を構成する部品や部材であるものの付属物を構成する部品や部材ではない部品や部材の特徴に埋もれることが無く、付属物を構成する個々の部品や部材の特徴や、付属物を構成する部品や部材の集合体の特徴が把握し易いのである。
【００１４】
ところで、「工業製品本体の部品や部材と略同一の部品や部材」とは、工業製品本体の部品や部材と同じ時期に、同じ工場の同じ製造ラインで製造された部品や部材を意味する。即ち、「工業製品本体の部品や部材と略同一の部品や部材」とは、部品や部材の品質を把握するにあたって、工業製品本体の部品や部材と同一視することができるものを意味している。
【００１５】
また同様に、工業製品本体の一部の機能と略同一の機能を発揮すべく構成された付属物によって、工業製品本体が発揮する機能の特徴を充分に把握することができる。
即ち、付属物が発揮する機能は、工業製品本体が発揮する機能の一部と略同一であり、換言すると、付属物が発揮する機能は、工業製品本体が発揮する機能の全部と略同一ではないために、付属物が発揮する機能は工業製品本体が発揮する機能よりも少ないこととなる。この様に、付属物が発揮する機能が少ないが故に、付属物が発揮する機能の特徴が、工業製品本体が発揮する機能であるものの付属物が発揮する機能ではない機能の特徴に埋もれることが無く、付属物が発揮する機能の特徴が把握し易いのである。
【００１６】
また、付属物が発揮する機能に関する情報である付属物機能情報によって、工業製品本体が発揮する機能の特徴をより一層充分に把握することができる。
【００１７】
同様に、付属物が発揮する機能に関する情報に通信回線を介してアクセス可能な情報である付属物機能情報によって、工業製品本体が発揮する機能の特徴をより一層充分に把握することができる。
【００１８】
更に、付属物が製造された時期に関する情報である付属物製造時期情報によって、工業製品本体中の付属物に対応する部品や部材が製造された時期を把握することができる。
即ち、工業製品本体には製造時期に関する情報が付されていることが多く、こうした情報に基づいて工業製品本体の製造時期を知ることはできたとしても、工業製品本体の部品や部材の製造時期を知ることは一般には困難である。そのため、付属物製造時期情報によって、工業製品本体を構成する部品や部材の製造された時期を知ることができるのである。なお、ここでは、「工業製品本体中の部品や部材」と「付属物」とは、同時期に製造されることを前提としている。
【００１９】
同様に、付属物が製造された時期に関する情報に通信回線を介してアクセス可能な情報である付属物製造時期情報によって、工業製品本体中の付属物に対応する部品や部材が製造された時期を把握することができる。
【００２０】
また、付属物を構成する工業製品本体の一部の部品や部材と略同一の部品や部材、若しくは、付属物が発揮する工業製品本体の一部の機能と略同一の機能を実現する構成の生産者に関する情報である付属物生産者情報によって、生産者自身が付属物に対して責任の所在を明らかにすることができる。
【００２１】
同様に、付属物を構成する工業製品本体の一部の部品や部材と略同一の部品や部材、若しくは、付属物が発揮する工業製品本体の一部の機能と略同一の機能を実現する構成の生産者に関する情報に通信回線を介してアクセス可能な情報である付属物生産者情報によって、生産者自身が付属物に対して責任の所在を明らかにすることができる。
【００２２】
なお、「生産者に関する情報」とは、付属物（最終製品）を生産した者のみならず、最終製品である付属物が生産される過程において関与した者の全てを含む意味である。また、「生産者に関する情報」としては、生産者の氏名または名称、生産者の住所、生産者の電話番号、生産者のファクシミリ番号、生産者の電子メールアドレス、生産者のホームページアドレス等が挙げられる。
【００２３】
ところで、「通信回線を介して所定の情報にアクセス可能な情報」とは、例えば、インターネット回線を利用して所定のウェブサイトにアクセスできる識別子（例えば、二次元バーコード等）が挙げられる。
【００２４】
また、「付属物を見せる」とは、付属物の実物を見せることは勿論、付属物の静止画や動画を見せる場合も含む趣旨である。例えば、付属物の写真が掲載されたカタログを見せる場合や、付属物の写真や動画が掲載されたウェブサイトを見せる場合等も含まれる。
【発明の効果】
【００２５】
本発明の工業製品及び工業製品の提供方法では、消費者がより一層安心して商品を選択することが可能となり、商品の信頼度の向上を実現することができる。
【図面の簡単な説明】
【００２６】
【図１】本発明を適用した工業製品の一例を説明するための模式図である。
【図２】本発明を適用した工業製品の提供方法の一例を説明するための模式図である。
【図３】本発明を適用した工業製品の提供方法の他の一例を説明するための模式図である。
【発明を実施するための形態】
【００２７】
以下、発明を実施するための形態（以下、「実施の形態」と称する）について説明を行う。なお、説明は以下の順序で行う。
１．第１の実施の形態
２．第２の実施の形態
３．第３の実施の形態
４．変形例
【００２８】
＜１．第１の実施の形態＞
［構成の説明］
図１は本発明を適用した工業製品の一例を説明するための模式図であり、ここで示す工業製品Ａは、工業製品本体（第１の実施の形態ではノートパソコン）１を密閉状に収容した容器２の底部に収容凹部３が形成されている。
【００２９】
収容凹部３には、付属物４が密閉状に収容された付属物収容体５が収容されている。
なお、ノートパソコン１と付属物４はそれぞれ別個に収容されており、ノートパソコン１の容器２と、付属物４の付属物収容体５とが一体的に包装紙６で包装されている。
【００３０】
ここで、第１の実施の形態での付属物４とは、ノートパソコン１の一部の部品と略同一の部品を意味する。
【００３１】
具体的には、ノートパソコン１に搭載されたフレキシブルプリント基板と略同一のフレキシブルプリント基板や、ノートパソコン１に搭載されたコンデンサーと略同一のコンデンサー等が挙げられる。
【００３２】
ここで、付属物４であるフレキシブルプリント基板は、ノートパソコン１に搭載されたフレキシブルプリント基板と同じ時期に、同じ工場の同じ製造ラインで製造されたものであり、フレキシブルプリント基板の品質を把握するにあたって、ノートパソコン１に搭載されたフレキシブルプリント基板と同一視することができるものである。
【００３３】
同様に、付属物４であるコンデンサーは、ノートパソコン１に搭載されたコンデンサーと同じ時期に、同じ工場の同じ製造ラインで製造されたものであり、コンデンサーの品質を把握するにあたって、ノートパソコン１に搭載されたコンデンサーと同一視することができるものである。
【００３４】
［効果］
上記した本発明を適用した工業製品の一例では、ノートパソコン１と付属物４とが一体化されているために、ノートパソコン１を提供する際に、ノートパソコン１のみならず、不可避的に付属物４をも提供することとなる。この様に、ノートパソコン１と共に付属物４をも消費者に提供することができるため、ノートパソコン１に搭載されたフレキシブルプリント基板やコンデンサーの特徴を把握することができ、消費者はより一層安心してノートパソコンを選択することが可能となり、ノートパソコンの信頼度の向上が実現することとなる。
【００３５】
また、付属物４を消費者に提供することで、通常はノートパソコン１の内部にあって消費者からは見えない部分をも知ることができ、より一層商品に対する親しみを感じさせることができ、ノートパソコン１の消費拡大が期待できる。
【００３６】
なお、付属物４を実際に提供することで、ノートパソコン１に搭載されたフレキシブルプリント基板やコンデンサーの特徴を充分に把握することが可能となる。即ち、文字情報として、例えば、フレキシブルプリント基板やコンデンサーの情報を開示する場合等が考えられるものの、文字情報による知覚的理解のみでは、フレキシブルプリント基板やコンデンサーの特徴を把握するには不充分である。
【００３７】
＜２．第２の実施の形態＞
［構成の説明］
図２は本発明を適用した工業製品の提供方法の一例を説明するための模式図である。
図２で示す工業製品の提供方法の一例では、パソコン２０を利用してインターネット回線を介してアクセス可能なホームページ（通販サイト）に、販売商品である工業製品本体（第２の実施の形態ではデスクトップパソコン）１の画像が掲載されている。また、それぞれのデスクトップパソコンの画像ごとに、付属物４の画像が掲載されている。
【００３８】
ここで、第２の実施の形態での付属物４とは、デスクトップパソコン１の一部の部品と略同一の部品を意味する。
【００３９】
具体的には、デスクトップパソコン１に搭載されたフレキシブルプリント基板と略同一のフレキシブルプリント基板や、デスクトップパソコン１に搭載されたコンデンサーと略同一のコンデンサー等が挙げられる。
【００４０】
ここで、付属物４であるフレキシブルプリント基板は、デスクトップパソコン１に搭載されたフレキシブルプリント基板と同じ時期に、同じ工場の同じ製造ラインで製造されたものであり、フレキシブルプリント基板の品質を把握するにあたって、デスクトップパソコン１に搭載されたフレキシブルプリント基板と同一視することができるものである。
【００４１】
同様に、付属物４であるコンデンサーは、デスクトップパソコン１に搭載されたコンデンサーと同じ時期に、同じ工場の同じ製造ラインで製造されたものであり、コンデンサーの品質を把握するにあたって、デスクトップパソコン１に搭載されたコンデンサーと同一視することができるものである。
【００４２】
なお、図２で示す様な通販サイトを通じて消費者はデスクトップパソコン１を購入することになるのであるが、通販サイトを通じてデスクトップパソコン１の購入を行った消費者に対して、商品（デスクトップパソコン１）の発送時に、デスクトップパソコン１と共に付属物４を提供する様にしても良い。
【００４３】
［効果］
上記した本発明を適用した工業製品の提供方法の一例では、デスクトップパソコン１の購入に際して付属物４の画像を確認することによって、デスクトップパソコン１に搭載されたフレキシブルプリント基板やコンデンサーの特徴を把握することができ、消費者はより一層安心してデスクトップパソコン１を選択することが可能となり、デスクトップパソコン１の信頼度の向上が実現することとなる。
【００４４】
また、付属物４の画像を消費者に見せることで、通常はデスクトップパソコン１の内部にあって消費者からは見えない部分をも知ることができ、より一層商品に対する親しみを感じさせることができ、デスクトップパソコン１の消費拡大が期待できる。
【００４５】
なお、付属物４の画像を消費者に見せることで、デスクトップパソコン１に搭載されたフレキシブルプリント基板やコンデンサーの特徴を充分に把握することが可能となる。即ち、文字情報として、例えば、フレキシブルプリント基板やコンデンサーの情報を開示する場合等が考えられるものの、文字情報による知覚的理解のみでは、フレキシブルプリント基板やコンデンサーの特徴を把握するには不充分である。
【００４６】
更に、付属物４の画像を通販サイトに掲載して消費者に見せるのみならず、商品（デスクトップパソコン１）の発送時に、デスクトップパソコン１と共に付属物４を提供する場合には、消費者は画像のみならず、付属物４の現物を入手することができ、より一層、デスクトップパソコン１に搭載されたフレキシブルプリント基板やコンデンサーの特徴を把握することができる。なお、通販サイトで見せた付属物４の画像と一致する付属物４を消費者に提供し、消費者が一致を確認することで消費者の安心感が増すこととなる。
【００４７】
また、本発明を適用した工業製品の提供方法の一例では、通販サイトに画像１を掲載しており、極めて多くの情報を消費者に提供することができる。例えば、大容量の動画や、多数の静止画等であっても、極めて容易に消費者に提供することが可能となる。
なお、必ずしも、１つのデスクトップパソコン１の画像に対応して１つの付属物４の画像を掲載する必要は無く、１つのデスクトップパソコン１の画像に対応した複数の付属物４の画像を掲載しても良い。その場合には、デスクトップパソコン１の発送時に複数の付属物４を提供することとしても良い。
【００４８】
＜３．第３の実施の形態＞
［構成の説明］
図３は本発明を適用した工業製品の提供方法の他の一例を説明するための模式図である。
図３で示す工業製品の提供方法の他の一例では、通信販売用の商品カタログ３０に、販売商品である工業製品本体（第３の実施の形態ではスマートフォン）１の画像が掲載されている。また、それぞれのスマートフォンの画像ごとに、付属物４の画像が掲載されている。
【００４９】
ここで、第３の実施の形態での付属物４とは、スマートフォン１の一部の部品と略同一の部品を意味する。
【００５０】
具体的には、スマートフォン１に搭載されたフレキシブルプリント基板と略同一のフレキシブルプリント基板や、スマートフォン１に搭載されたコンデンサーと略同一のコンデンサー等が挙げられる。
【００５１】
ここで、付属物４であるフレキシブルプリント基板は、スマートフォン１に搭載されたフレキシブルプリント基板と同じ時期に、同じ工場の同じ製造ラインで製造されたものであり、フレキシブルプリント基板の品質を把握するにあたって、スマートフォン１に搭載されたフレキシブルプリント基板と同一視することができるものである。
【００５２】
同様に、付属物４であるコンデンサーは、スマートフォン１に搭載されたコンデンサーと同じ時期に、同じ工場の同じ製造ラインで製造されたものであり、コンデンサーの品質を把握するにあたって、スマートフォン１に搭載されたコンデンサーと同一視することができるものである。
【００５３】
なお、図３で示す様なカタログ販売を通じてスマートフォン１の購入を行った消費者に対して、商品（スマートフォン１）の発送時に、スマートフォン１と共に付属物４を提供する様にしても良い。
【００５４】
［効果］
上記した本発明を適用した工業製品の提供方法の他の一例では、スマートフォン１の購入に際して付属物４の画像を確認することによって、スマートフォン１に搭載されたフレキシブルプリント基板やコンデンサーの特徴を把握することができ、消費者はより一層安心してスマートフォン１を選択することが可能となり、スマートフォン１の信頼度の向上が実現することとなる。
【００５５】
また、付属物４の画像を消費者に見せることで、通常はスマートフォン１の内部にあって消費者からは見えない部分をも知ることができ、より一層商品に対する親しみを感じさせることができ、スマートフォン１の消費拡大が期待できる。
【００５６】
なお、付属物４の画像を消費者に見せることで、スマートフォン１に搭載されたフレキシブルプリント基板やコンデンサーの特徴を充分に把握することが可能となる。即ち、文字情報として、例えば、フレキシブルプリント基板やコンデンサーの情報を開示する場合等が考えられるものの、文字情報による知覚的理解のみでは、フレキシブルプリント基板やコンデンサーの特徴を把握するには不充分である。
【００５７】
更に、付属物４の画像をカタログに掲載して消費者に見せるのみならず、商品（スマートフォン１）の発送時に、スマートフォン１と共に付属物４を提供する場合には、消費者が画像のみならず、付属物４の現物を入手することができ、より一層、スマートフォン１に搭載されたフレキシブルプリント基板やコンデンサーの特徴を把握することができる。なお、カタログで見せた付属物４の画像と一致する付属物４を消費者に提供し、消費者が一致を確認することで消費者の安心感が増すこととなる。
【００５８】
＜４．変形例＞
［付属物について］
上記した第１の実施の形態〜第３の実施の形態では、付属物４が工業製品本体１に搭載されたフレキシブルプリント基板やコンデンサーと略同一のフレキシブルプリント基板やコンデンサーである場合を例に挙げて説明を行っている。即ち、工業製品本体１の一部の部品と略同一の部品を例に挙げて説明を行っている。
しかしながら、付属物４は工業製品本体１の一部の部品と略同一の部品に限られるものではなく、以下に示す様なものであっても良い。
【００５９】
［付属物の変形例１］
付属物４としては、工業製品本体１の一部の部材と略同一の部材であっても良い。
具体的には、工業製品本体１に用いられたマグネシウム材料（例えば、ノートパソコンの筐体に用いられたマグネシウム材料）と略同一のマグネシウム材料や、工業製品本体１に用いられたガラス材料（例えば、スマートフォンのパネルに用いられたガラス材料）と略同一のガラス材料等が挙げられる。
【００６０】
ここで、付属物の変形例１であるマグネシウム材料は、工業製品本体１に用いられたマグネシウム材料と同じ時期に、同じ工場の同じ製造ラインで製造されたものであり、マグネシウム材料の品質を把握するにあたって、工業製品本体１に用いられたマグネシウム材料と同一視することができるものである。
【００６１】
同様に、付属物の変形例１であるガラス材料は、工業製品本体１に用いられたガラス材料と同じ時期に、同じ工場の同じ製造ラインで製造されたものであり、ガラス材料の品質を把握するにあたって、工業製品本体１に用いられたガラス材料と同一視することができるものである。
【００６２】
［付属物の変形例２］
付属物４としては、工業製品本体１の一部の部品を用いた玩具であっても良い。即ち、上述した第１の実施の形態〜第３の実施の形態の様に、工業製品本体１の一部の部品と略同一の部品自体を付属物４とするのではなく、工業製品本体１の一部の部品と略同一の部品を用いた玩具を付属物４としても良い。
具体的には、工業製品本体１に用いられたフレキシブルプリント基板を用いた玩具や、工業製品本体１に用いられたコンデンサーを用いた玩具等が挙げられる。
【００６３】
ここで、付属物の変形例２である玩具に用いられたフレキシブルプリント基板は、工業製品本体１に用いられたフレキシブルプリント基板と同じ時期に、同じ工場の同じ製造ラインで製造されたものであり、フレキシブルプリント基板の品質を把握するにあたって、工業製品本体１に用いられたフレキシブルプリント基板と同一視することができるものである。
【００６４】
同様に、付属物の変形例２である現具に用いられたコンデンサーは、工業製品本体１に用いられたコンデンサーと同じ時期に、同じ工場の同じ製造ラインで製造されたものであり、コンデンサーの品質を把握するにあたって、工業製品本体１に用いられたコンデンサーと同一視することができるものである。
【００６５】
［付属物の変形例３］
付属物４としては、工業製品本体１の一部の部材を用いた玩具であっても良い。即ち、上述した付属物の変形例１の様に、工業製品本体１の一部の部材と略同一の部材自体を付属物４とするのではなく、工業製品本体１の一部の部材と略同一の部材を用いた玩具を付属物４としても良い。
具体的には、工業製品本体１に用いられたマグネシウム材料を用いた玩具や、工業製品本体１に用いられたガラス材料を用いた玩具等が挙げられる。
【００６６】
ここで、付属物の変形例３である玩具に用いられたマグネシウム材料は、工業製品本体１に用いられたマグネシウム材料と同じ時期に、同じ工場の同じ製造ラインで製造されたものであり、マグネシウム材料の品質を把握するにあたって、工業製品本体１のマグネシウム材料と同一視することができるものである。
【００６７】
同様に、付属物の変形例３である玩具に用いられたガラス材料は、工業製品本体１に用いられたガラス材料と同じ時期に、同じ工場の同じ製造ラインで製造されたものであり、ガラス材料の品質を把握するにあたって、工業製品本体１のガラス材料と同一視することができるものである。
【００６８】
［付属物の変形例４］
付属物４としては、工業製品本体１の一部の機能と略同一の機能を発揮するものであっても良い。
具体的には、工業製品本体１に用いられたフレキシブルプリント基板と略同一の機能を発揮するフレキシブルプリント基板や、工業製品本体１に用いられたコンデンサーと略同一の機能を発揮するコンデンサー等が挙げられる。
【００６９】
ここで、付属物の変形例４であるフレキシブルプリント基板は、フレキシブルプリント基板の機能を把握するにあたって、工業製品本体１に用いられたフレキシブルプリント基板と同一視することができるものである。
【００７０】
同様に、付属物の変形例４であるコンデンサーは、コンデンサーの機能を把握するにあたって、工業製品本体１に用いられたコンデンサーと同一視することができるものである。
【００７１】
［付属物機能情報について］
上記した第１の実施の形態〜第３の実施の形態では、付属物４を提供したり、付属物４の画像を見せたりする場合を例に挙げて説明を行っているが、付属物４と共に、付属物４が発揮する機能に関する情報である付属物機能情報を提供したり、見せたりしても良い。
【００７２】
具体的には、付属物４であるフレキシブルプリント基板が発揮する機能に関する情報が掲載された付属物機能情報を付属物４と共に提供したり、付属物４であるコンデンサーが発揮する機能に関する情報が掲載された付属物機能情報を付属物４と共に提供したりしても良い。
【００７３】
また、付属物４であるフレキシブルプリント基板が発揮する機能に関する情報を通販サイトや通販カタログ等で見せたり、付属物４であるコンデンサーが発揮する機能に関する情報を通販サイトや通販カタログ等で見せたりして、工業製品本体１を提供しても良い。
【００７４】
更に、付属物機能情報は、付属物４が発揮する機能に関する情報に通信回線を介してアクセス可能に構成しても良い。
具体的には、工業製品本体１と共に提供したり、見せたりする二次元バーコード等の識別子（付属物機能情報の一例）にＵＲＬを記録しておき、携帯端末等で識別子を読み取ることで、インターネットを通じて所定のウェブサイトにアクセスすることができる様にし、こうしたウェブサイトに付属物４が発揮する機能に関する情報を掲載しても良い。
【００７５】
なお、付属物機能情報を提供したり、見せたりすることによって、工業製品本体１が発揮する機能の特徴をより一層充分に把握することができ、消費者は更に一層安心して工業製品本体１を選択することが可能となり、工業製品本体１の信頼度の向上が更に実現することとなる。
【００７６】
［付属物製造時期情報について］
上記した第１の実施の形態〜第３の実施の形態では、付属物４を提供したり、付属物４の画像を見せたりする場合を例に挙げて説明を行っているが、付属物４と共に、付属物４が製造された時期に関する情報である付属物製造時期情報を提供したり、見せたりしても良い。
【００７７】
具体的には、付属物４であるフレキシブルプリント基板が製造された時期に関する情報（例えば、製造された年、製造された年と月、製造された年月日等）が掲載された付属物製造時期情報を付属物４と共に提供したり、付属物４であるコンデンサーが製造された時期に関する情報（例えば、製造された年、製造された年と月、製造された年月日等）が掲載された付属物製造時期情報を付属物４と共に提供したりしても良い。
【００７８】
また、付属物４であるフレキシブルプリント基板が製造された時期に関する情報（例えば、製造された年、製造された年と月、製造された年月日等）を通販サイトや通販カタログで見せたり、付属物４であるコンデンサーが製造された時期に関する情報（例えば、製造された年、製造された年と月、製造された年月日等）を通販サイトや通販カタログで見せたりして、工業製品本体１を提供しても良い。
【００７９】
更に、付属物製造時期情報は、付属物４が製造された時期に関する情報に通信回線を介してアクセス可能に構成しても良い。
具体的には、工業製品本体１と共に提供したり、見せたりする二次元バーコード等の識別子（付属物製造時期情報の一例）にＵＲＬを記録しておき、携帯端末等で識別子を読み取ることで、インターネットを通じて所定のウェブサイトにアクセスすることができる様にし、こうしたウェブサイトに付属物４が製造された時期に関する情報を掲載しても良い。
【００８０】
なお、付属物製造時期情報を提供したり、見せたりすることによって、工業製品本体１に用いられた部品や部材が製造された時期を把握することができ、消費者は更に一層安心して工業製品本体１を選択することが可能となり、工業製品本体１の信頼度の向上が更に実現することとなる。
【００８１】
［付属物生産者情報について］
上記した第１の実施の形態〜第３の実施の形態では、付属物４を提供したり、付属物４の画像を見せたりする場合を例に挙げて説明を行っているが、付属物４と共に、付属物４の生産者に関する情報である付属物生産者情報を提供したり、見せたりしても良い。
【００８２】
具体的には、付属物４であるフレキシブルプリント基板の生産者に関する情報が掲載された付属物生産者情報を付属物４と共に提供したり、付属物４であるコンデンサーの生産者に関する情報が掲載された付属物生産者情報を付属物４と共に提供したりしても良い。
【００８３】
また、付属物４であるフレキシブルプリント基板の生産者に関する情報を通販サイトや通販カタログ等で見せたり、付属物４であるコンデンサーの生産者に関する情報を通販サイトや通販カタログ等で見せたりして、工業製品本体１を提供しても良い。
【００８４】
更に、付属物生産者情報は、付属物４の生産者に関する情報に通信回線を介してアクセス可能に構成しても良い。
具体的には、工業製品本体１と共に提供したり、見せたりする二次元バーコード等の識別子（付属物生産者情報の一例）にＵＲＬを記録しておき、携帯端末等で識別子を読み取ることで、インターネットを通じて所定のウェブサイトにアクセスすることができる様にし、こうしたウェブサイトに付属物４の生産者に関する情報を掲載しても良い。
【００８５】
なお、付属物生産者情報を提供したり、見せたりすることによって、生産者自身が付属物に対して責任の所在を明らかにすることができ、消費者は更に一層安心して工業製品本体１を選択することが可能となり、工業製品本体１の信頼度の向上が更に実現することとなる。
【符号の説明】
【００８６】
１    工業製品本体
２    容器
３    収容凹部
４    付属物
５    付属物収容体
６    包装紙
２０    パソコン
３０    商品カタログ
【図１】
2016031671.tif 000003
【図２】
2016031671.tif 000004
【図３】
2016031671.tif 000005